(57)【特許請求の範囲】
【請求項１】
主幹開閉器が取り付けられる主幹用取付台が箱体の背壁の前面左側に形成されるとともに分岐開閉器が取り付けられる分岐用取付台が箱体の背壁の前面右側に形成され、前記分岐用取付台の上方に前記分岐開閉器が電気的に接続される複数の導電バーを全長にわたって支持するバー支持部材が取り付けられる支持部材用取付台を形成した住宅用分電盤であって、前記支持部材用取付台の右端部に形成された保持孔と前記支持部材用取付台の左端部の近傍で背壁から突設された保持突起とで引掛部を形成し、該引掛部に引掛けられる被引掛部をバー支持部材に設け、バー支持部材は、箱体の背壁の前面に沿って左右方向にスライドさせることにより引掛部と被引掛部とが引っ掛かる位置と引っ掛からない位置との間で移動可能であって、前記被引掛部は、該被引掛部が前記引掛部に引っ掛からない状態において前記背壁の前方から前記バー支持部材を正面視したときに視認可能となるよう前記バー支持部材のスライド方向の両端部であって、前記バー支持部材の右端部から外向きに突出する係止突起と前記バー支持部材の左端部の上下面から突出した被引掛片とからなることを特徴とする住宅用分電盤。
【請求項２】
前記被引掛部および前記引掛部には、前記被引掛部を前記引掛部に引っ掛けた定位置で前記引掛部から前記被引掛部が抜けるのを防止するように互いに係合する係合部がそれぞれ形成されてなることを特徴とする請求項１記載の住宅用分電盤。
【請求項３】
前記支持部材用取付台が前記背壁から突設され、前記支持部材用取付台の前面よりも前記背壁側に前記引掛部を設けてなることを特徴とする請求項１または請求項２記載の住宅用分電盤。
【請求項４】
前記バー支持部材に後方へ突出するガイド突起を設けるとともに、前記支持部材用取付台にガイド突起を前記バー支持部材のスライド方向に沿って案内する長孔を設けてなることを特徴とする請求項３記載の住宅用分電盤。
【請求項５】
前記長孔は、前記被引掛部が前記引掛部に引っ掛からない状態において前記ガイド突起が遊挿される丸孔状の大径部の一部に前記ガイド突起を前記スライド方向に沿って案内する溝部が連続した鍵穴状に形成されてなることを特徴とする請求項４記載の住宅用分電盤。
【請求項６】
前記分岐開閉器が前記導電バーの短手方向から接続され、前記バー支持部材のスライド方向を前記導電バーの長手方向に一致させてなることを特徴とする請求項１ないし請求項５のいずれかに記載の住宅用分電盤。
【発明の詳細な説明】
【０００１】
【発明の属する技術分野】
本発明は、住宅用分電盤に関する。
【０００２】
【従来の技術】
この種の分電盤としては、特開平６−１５３３３８号公報に記載されたものが知られている。この公報に記載された分電盤では、図１６ないし図１８に示すように、導電バー１１０ａ’，１１０ｂ’，１１０ｃ’を支持するバー支持部材１００’を取付板９０に取り付け、さらに取付板９０を一対のフレーム８０ａ，８０ｂ間に架設し、フレーム８０ａ，８０ｂを図示しない箱体の背壁に取着する構成を採用しており、取付板９０には分岐開閉器たる分岐回路遮断器３２’も取着される。また、バー支持部材１００’の前面側には、導電バー１１０ａ’，１１０ｂ’，１１０ｃ’を覆う蓋１５０が取着されている。なお、バー支持部材１００’は合成樹脂成形品により形成され、フレーム８０ａ，８０ｂと取付板９０とは板金（鉄板）により形成されている。
【０００３】
この構成においてバー支持部材１００’を取付板９０に取り付ける際には、図１８に示すように、バー支持部材１００’に設けられた係合脚２０６ｃを取付板９０に形成された引掛孔９７に挿入し、係合脚２０６ｃの先端部に形成された引掛フック２０６ｄを引掛孔９７の周部に係合させることにより、図１６に示すようにバー支持部材１００’が取付板９０に保持される。
【０００４】
【発明が解決しようとする課題】
しかしながら、上記公報に記載された分電盤では、バー支持部材１００’を取付板９０に取り付ける際に、バー支持部材１００’に一体に設けた係合脚２０６ｃの弾性を利用しているから、引掛フック２０６ｄの引掛量を多くするために引掛フック２０６ｄの突出寸法を大きくすると係合脚２０６ｃの撓み応力が大きくなって、係合脚２０６ｃが折損する恐れがあった。これに対して、引掛フック２０６ｄの突出寸法を小さくすれば、引掛フック２０６ｄの引掛量が少なくなるから、バー支持部材１００’が取付板９０から外れやすくなってしまうという不具合があった。
【０００５】
また、部品点数を削減するために箱体の背壁に引掛孔を形成して、バー支持部材１００’に設けられた係合脚２０６ｃを箱体の背壁に形成された引掛孔に挿入し、係合脚２０６ｃの先端部に形成された引掛フック２０６ｄを引掛孔の周部に係合させるように構成された住宅用分電盤も提案されているが、この住宅用分電盤においても上記公報に記載のものと同様の不具合があった。
【０００６】
本発明は上記事由に鑑みて為されたものであり、その目的は、バー支持部材を箱体に対して確実に取り付けることができるようにした住宅用分電盤を提供することにある。
【０００７】
【課題を解決するための手段】
請求項１の発明は、上記目的を達成するために、主幹開閉器が取り付けられる主幹用取付台が箱体の背壁の前面左側に形成されるとともに分岐開閉器が取り付けられる分岐用取付台が箱体の背壁の前面右側に形成され、前記分岐用取付台の上方に前記分岐開閉器が電気的に接続される複数の導電バーを全長にわたって支持するバー支持部材が取り付けられる支持部材用取付台を形成した住宅用分電盤であって、前記支持部材用取付台の右端部に形成された保持孔と前記支持部材用取付台の左端部の近傍で背壁から突設された保持突起とで引掛部を形成し、該引掛部に引掛けられる被引掛部をバー支持部材に設け、バー支持部材は、箱体の背壁の前面に沿って左右方向にスライドさせることにより引掛部と被引掛部とが引っ掛かる位置と引っ掛からない位置との間で移動可能であって、前記被引掛部は、該被引掛部が前記引掛部に引っ掛からない状態において前記背壁の前方から前記バー支持部材を正面視したときに視認可能となるよう前記バー支持部材のスライド方向の両端部であって、前記バー支持部材の右端部から外向きに突出する係止突起と前記バー支持部材の左端部の上下面から突出した被引掛片とからなることを特徴とするものであり、バー支持部材をスライドさせることによって箱体にバー支持部材を取り付けることができるから、バー支持部材の弾性を利用してバー支持部材を箱体に取り付ける従来構成に比較すると、バー支持部材が破損する可能性が少なくなり、バー支持部材のスライド方向における引掛部と被引掛部との引掛量を大きくできるので、箱体に対するバー支持部材の取付強度を大きくできるとともにバー支持部材を箱体に確実に取り付けることができる。
また、請求項１の発明では、前記被引掛部は、該被引掛部が前記引掛部に引っ掛からない状態において前記背壁の前方から前記バー支持部材を正面視したときに視認可能となるよう前記バー支持部材のスライド方向の両端部であって、前記バー支持部材の右端部から外向きに突出する係止突起と前記バー支持部材の左端部の上下面から突出した被引掛片とからなるので、前記被引掛部を前記引掛部に引掛けるときに前記被引掛部を視認でき、前記被引掛部を前記引掛部に引掛ける作業が容易になるから、前記箱体への前記バー支持部材の取付作業が容易になり、また、前記バー支持部材のスライド方向の両端部が前記箱体の背壁から浮きあがるのを防止することができる。特に、スライドさせて引掛ける方向で後側である左端側の被引掛部（被引掛片）を上下方向に形成しているので、それに対応する引掛部（保持突起）も前記バー支持部材で隠れることなく視認できることとなり、前記箱体への前記バー支持部材の取付作業が更に容易になる。
【０００８】
請求項２の発明は、請求項１の発明において、前記被引掛部および前記引掛部には、前記被引掛部を前記引掛部に引っ掛けた定位置で前記引掛部から前記被引掛部が抜けるのを防止するように互いに係合する係合部がそれぞれ形成されているので、前記バー支持部材を定位置までスライドさせることにより、前記被引掛部に形成された係合部と前記引掛部に形成された係合部とが係合して前記引掛部から前記被引掛部が抜けるのを防止されるから、前記バー支持部材が前記箱体から外れる可能性が少なくなる。
【００１１】
請求項３の発明は、請求項１または請求項２の発明において、前記支持部材用取付台が前記背壁から突設され、前記支持部材用取付台の前面よりも前記背壁側に前記引掛部を設けているので、前記支持部材用取付台を前記バー支持部材の背面と前記被引掛部とで挟むことが可能となり、前記バー支持部材を前記箱体に強固に取り付けることができる。
【００１２】
請求項４の発明は、請求項３の発明において、前記バー支持部材に後方へ突出するガイド突起を設けるとともに、前記支持部材用取付台にガイド突起を前記バー支持部材のスライド方向に沿って案内する長孔を設けているので、前記被引掛部と前記引掛部との位置合わせが容易に行え、前記バー支持部材を前記箱体に取着する作業が容易になる。
【００１３】
請求項５の発明は、請求項４の発明において、前記長孔は、前記被引掛部が前記引掛部に引っ掛からない状態において前記ガイド突起が遊挿される丸孔状の大径部の一部に前記ガイド突起を前記スライド方向に沿って案内する溝部が連続した鍵穴状に形成されているので、前記バー支持部材を前記箱体に取着する際には、前記ガイド突起が前記長孔の大径部に遊挿されるように前記バー支持部材を前記支持部材用取付台に載置し、前記ガイド突起が溝部に対応する部位に入るように前記バー支持部材を前記スライド方向へスライドさせることによって前記バー支持部材を前記箱体に取着することができるから、前記バー支持部材をスライドさせる前に前記支持部材用取付台に載置するときの前記バー支持部材の位置合わせが容易になり、前記箱体への前記バー支持部材の取着作業が容易になる。
【００１４】
請求項６の発明は、請求項１ないし請求項５の発明において、前記分岐開閉器が前記導電バーの短手方向から接続され、前記バー支持部材のスライド方向を前記導電バーの長手方向に一致させているので、前記バー支持部材をスライドさせる方向と前記分岐開閉器を導電バーに差込接続する方向とが直交するから、前記導電バーに前記分岐開閉器を差込接続するときの力によって前記バー支持部材が移動する可能性が少なく、前記バー支持部材を前記箱体に対して所定位置に正確に位置決めすることができる。
【００１５】
【発明の実施の形態】
本実施形態の住宅用分電盤は、図２ないし図７に示すように、１つの主幹回路遮断器３１と複数の分岐回路遮断器３２とを箱体１０の中に配置した分電盤であって、複数の分岐回路遮断器３２を横１列に横並びで並設してある。箱体１０は、合成樹脂成形品であって、前面開口した直方体状に形成され、前面側に合成樹脂成形品のカバー２０が結合されている。
【００１６】
箱体１０は、外周形状が矩形状に形成された背壁１１の外周縁の全周に亘って周壁１２が前方に突設された形状に形成されている。また、背壁１１は、左側の中央部に主幹開閉器たる主幹回路遮断器３１が取り付けられる主幹用取付台４０が連続一体に形成され、背壁１１の右側の中央部には分岐開閉器たる分岐回路遮断器３２が取り付けられる分岐用取付台６０が連続一体に形成されている。さらに、背壁１１は、分岐用取付台６０の上方に後述の導電バー１１０ａ，１１０ｂ，１１０ｃを支持したバー支持部材１００が取り付けられる支持部材用取付台５０が連続一体に形成されている。
【００１７】
ここにおいて、主幹用取付台４０は外周形状が矩形状に形成された主幹用取付板４０ａの外周縁の一部が段差部４１を介して背壁１１と連結されている（図６参照）。支持部材用取付台５０は外周形状が矩形状に形成された支持部材用取付板５０ａの長手方向（左右方向）の両側縁がそれぞれ段差部５１を介して背壁１１と連結され、分岐用取付台６０は外周形状が矩形状に形成された分岐用取付板６０ａの長手方向（左右方向）の両側縁がそれぞれ段差部６１を介して背壁１１と連結されている。また、分岐用取付板６０ａは、支持部材用取付板５０ａよりも背壁１１の背面を含む面からの距離が大きくなる位置に形成されており、分岐用取付板６０ａの上端縁が段差部６２を介して支持部材取付板５０の下端縁と連結されている。
【００１８】
また、背壁１１は、主幹用取付台４０の上側に電線挿通孔１３が開口され、支持部材用取付台５０の上側に電線挿通孔１４が開口され、分岐用取付台６０の下側に電線挿通孔１５が開口されている。なお、各電線挿通孔１３〜１５は、背壁１１において電線挿通孔１３〜１５それぞれに対応した部位にあらかじめ切除可能なノックアウト部を形成しておきノックアウト部を適宜に切除することによって形成してもよい。
【００１９】
カバー２０は、後端部外周面が箱体１０の周壁１２の前端部外周面にほぼ一致する（図６および図７参照）。また、カバー２０は、主幹回路遮断器３１の一部を露出させる窓孔２５や各分岐回路遮断器３２の一部を一括して露出させる窓孔２６が形成されている。
【００２０】
ところで、主幹回路遮断器３１は器体３内に収納された接点部を開閉操作可能なハンドル３１ａが前面側に配設されているが、上述の段差部４１を設けていることによって図６に示すように主幹回路遮断器３１において露出する部位の前面とカバー２０における窓孔２５の周囲とは同一面上に並んでおり、しかも接点部の閉成状態においてはハンドル３１ａがカバー２０の前面側へ突出しない位置にあるので、見栄えの良い外観を呈することになるとともに、主幹回路遮断器３１の接点部が閉成状態のときに誤ってハンドル３１ａが操作される恐れを少なくすることができ、各分岐回路遮断器３２にそれぞれ接続された負荷に負担がかかるのを防止することができる。また、分岐回路遮断器３２は器体内に収納された接点部を開閉操作可能なハンドル３２ａが前面側に配設されているが、上述の段差部６１を設けていることによって図７に示すように分岐回路遮断器３２において露出する部位の前面とカバー２０における窓孔２６の周囲とは同一面上に並んでおり、しかも接点部の閉成状態においてはハンドル３２ａがカバー２０の前面側へ突出しない位置にあるので、見栄えの良い外観を呈することになるとともに、分岐回路遮断器３２の接点部が閉成状態のときに誤ってハンドル３２ａが操作される恐れを少なくすることができ、分岐回路遮断器３２に接続された負荷に負担がかかるのを防止することができる。
【００２１】
なお、カバー２０の前面における窓孔２６の周部であって且つ分岐回路遮断器３２の並設方向に直交する方向の両側（つまり、窓孔２６の上下）には、分岐回路遮断器３２に接続される負荷（使用負荷）を区別する表示の設けられたシール２４（図２および図３参照）が貼着されている。
【００２２】
主幹回路遮断器３１の器体３は合成樹脂製であって、直方体状に形成されており、上部に端子台４が設けられ、端子台４の前面側に電源側端子として３つの電源側端子片３３，３３，３３が左右方向に並んで配設されている。ここに、各電源側端子片３３には図示しない端子ねじが挿通される端子孔３３ａが形成されている。また、器体３の上部の右端部から上方へ端子取付部５が連続一体に突出しており、負荷側端子として３つの負荷側端子片３４ａ，３４ｂ，３４ｃが端子取付部５の右側面から当該右側面に直交する方向へ突出する形で配置されている。ここに、負荷側端子片３４ａ，３４ｂ，３４ｃにはそれぞれ端子ねじ３５，３６，３６が挿通される端子孔（図示せず）が形成されている。要するに、主幹回路遮断器３１の器体３には、３つの電源側端子片３３，３３，３３と３つの負荷側端子片３４ａ，３４ｂ，３４ｃとが露設されている。電源側端子片３３，３３，３３と負荷側端子片３４ａ，３４ｂ，３４ｃとは１対１で対応付けされており、電源側端子片３３，３３，３３には電線挿通孔１３を通して箱体１０内に導入された電源線（図示せず）が上記端子ねじを用いて接続され、負荷側端子片３４ａ，３４ｂ，３４ｃには図４に示すようにそれぞれ導電バー１１０ａ，１１０ｂ，１１０ｃが端子ねじ３５，３６，３６を用いて直接接続される。なお、主幹回路遮断器３１は取付ねじ３０を用いて主幹用取付台４０に取着されており、器体３の右側面がバー支持部材１００に支持された導電バー１１０ａ，１１０ｂ，１１０ｃの長手方向に直交している。また、主幹用取付板４０ａには中央部に開口窓４２が形成されているので、主幹回路遮断器３１で発生した熱を放熱させることができる。
【００２３】
また、各負荷側端子片３４ｂ，３４ａ，３４ｃは、正面視において上下方向に並設されており、上下方向における中央の負荷側端子片３４ａが端子ねじ３５を用いて中性極の導電バー１１０ａに電気的および機械的に接続され、上下の負荷側端子３４ｂ，３４ｃがそれぞれ端子ねじ３６，３６を用いて電圧極の導電バー１１０ｂ，１１０ｃに電気的および機械的に接続されている。なお、負荷側端子片３４ａ，３４ｂ，３４ｃの上下方向および前後方向の位置関係と導電バー１１０ａ，１１０ｂ，１１０ｃの上下方向および前後方向の位置関係とは１対１で対応するように設定されている。
【００２４】
バー支持部材１００は、支持部材用取付台５０の前面側に載置される。バー支持部材１００の左右幅は支持部材用取付板５０ａの左右幅よりもやや小さく形成され、バー支持部材１００の上下方向の幅寸法は支持部材用取付板５０ａの上下方向の幅寸法よりやや大きく形成されている。
【００２５】
また、バー支持部材１００は、図９に示すように、上下方向の中央部に前方に突出した左右方向の隔壁１０１を有し、隔壁１０１における左右方向の両端部には前方に突出する支持ポスト１０２，１０３が形成されている。支持ポスト１０２，１０３の前面には凹所１０２ａ，１０３ａが形成され、凹所１０２ａの底部には図示しないナットが保持されている。バー支持部材１００の隔壁１０１には分離壁１０１ａが一体に形成され、隔壁１０１が８区画に分割されている。
【００２６】
バー支持部材１００には上下に載置片１０４が延設されており、各載置片１０４の左右方向において支持ポスト１０２を設けた一端部には後方に凹没した凹所１０４ａが形成され、各凹所１０４ａの底部には図示しないナットが保持されている。
【００２７】
各載置片１０４の中間部には係止部１０５が前方に立設されている。バー支持部材１００の上下縁、つまり各載置片１０４の一端部にはそれぞれ載置片１０４から前方に立設された立設壁１０６が形成される。ここに、バー支持部材１００の上縁から立設された立設壁１０６は図７および図８に示すように上側の方が下側よりも載置片１０４からの突出寸法が大きくなるように先端面（前端面）が傾斜しており、先端面には左右方向に走る係止溝１０６ｂが２つ形成されている。係止溝１０６ｂは立設壁１０６の左右方向における中間部に形成された仕切壁１０６ｃによって仕切られている。係止溝１０６ｂについては後述する。さらに、１つおきで４個の分離壁１０１ａには対向する立設壁１０６に向かって突出する引掛爪１０１ｂが形成されている。また、立設壁１０６には隔壁１０１に向かって突出する引掛爪１０６ａ（図９および図１３参照）が２箇所に形成されている。
【００２８】
バー支持部材１００は中性極の導電バー１１０ａと２本の電圧極の導電バー１１０ｂ，１１０ｃとの３本の導電バー１１０ａ〜１１０ｃを同時に保持できるように構成されている。
【００２９】
中性極の導電バー１１０ａは２つの支持ポスト１０２，１０３の間に架設される。導電バー１１０ａには長手方向において等ピッチで挿通孔１１１が形成されている。導電バー１１０ａの長手方向の一端部（図４における左端部）には端子片１１２が延設され、端子片１１２には上述の端子ねじ３５が挿入される端子孔１１４および支持ポスト１０２の前面に突設した係止部１０２ｂが挿入される位置決め孔１１７が形成されている。係止部１０２ｂには固定ねじ１２０（図１１参照）が螺合するねじ孔が形成されている。また、導電バー１１０ａの他端部には支持ポスト１０３の凹所１０３に嵌合する取付片１１３が延設されている。したがって、導電バー１１０ａは、取付片１１３を凹所１０３に嵌合するとともに係止部１０２ｂを位置決め孔１１７に挿通した状態で、固定ねじ１２０を係止部１０２ｂのねじ孔に螺合することによって導電バー１１０ａが支持ポスト１０２に固定される。また、上述の端子ねじ３５は凹所１０２ａの底部に設けたナットに螺合する。
【００３０】
一方、電圧極の２本の導電バー１１０ｂ，１１０ｃはそれぞれ載置片１０４の前面に重ねて取り付けられる。導電バー１１０ｂ，１１０ｃには長手方向の中間部に挿通孔１１５が形成され、導電バー１１０ｂ，１１０ｃの長手方向の一端部（図４における左端部）にはそれぞれ端子孔１１６が形成されている。端子孔１１６には上述の端子ねじ３６が挿入され、端子ねじ３６は載置片１０４に設けた凹所１０４ａの底部に保持されているナットに螺合する。導電バー１１０ａの前面側には後述の結束部材１３０が取り付けられている。結束部材１３０は８個の分岐回路遮断器３２の幅寸法よりもやや長い寸法を有している。結束部材１３０は、導電バー１１０ａの挿通孔１１１に１つおきに圧入される圧入突起１３２（図８参照）と、上端部後面から後方に突設された係合脚１３５（図８参照）とを備えており、係合脚１３５は導電バー１１０ａの後面側に係止される引掛フック１３５ａ（図８参照）が先端部に形成されている。したがって、結束部材１３０は、圧入突起１３２が挿通孔１１１に圧入されるとともに、引掛フック１３５ａが導電バー１１０ａの後面に係止されることによって結束部材１３０が導電バー１１０ａに固定される。
【００３１】
さらに、導電バー１１０ｂ，１１０ｃの短手方向の一側縁には前方に向かって接続片１１８が突設される。導電バー１１０ｃの接続片１１８には２本の挿入端子片１１８ａ，１１８ｂが延設されており、導電バー１１０ｂの接続片１１８には挿入端子片１１８ａと挿入端子片１１８ｂとが交互に延設されている。各挿入端子片１１８ａ，１１８ｂは接続片１１８から導電バー１１０ｃに対向するように接続片１１８に対して直交方向に延長されている。また、導電バー１１０ｃから挿入端子片１１８ｂまでの距離は挿入端子片１１８ａまでの距離よりも大きくなっている。したがって、挿入端子片１１８ｂ，１１８ａは前後に位置することになる。さらに、導電バー１１０ｂ，１１０ｃを各載置片１０４に取り付けた状態では、互いに他方の導電バー１１０ｂ，１１０ｃに設けた挿入端子片１１８ｂ，１１８ａが前後に位置し、かつ両挿入端子片１１８ｂ，１１８ａの先端縁の位置が上下左右において揃うように位置する。このような配置によって、前後に並ぶ２つの挿入端子片１１８ｂ，１１８ａは互いに他の導電バー１１０ｂ，１１０ｃに接続されていることになる。ここで、支持ポスト１０２，１０３間に架設された中性極の導電バー１１０ａの短手方向の端縁も上下方向における位置が両挿入端子片１１８ｂ，１１８ａの先端縁と一致する。なお、異なる導電バー１１０ｂ，１１０ｃに設けた接続片１１８は隔壁１０１によって絶縁される。
【００３２】
ところで、導電バー１１０ｂ，１１０ｃに設けた挿通孔１１５には載置片１０４に設けた係止部１０５が挿通される。また、導電バー１１０ｂ，１１０ｃの長手方向の一端部（左端部）には支持ポスト１０２の角部に合致する形状の切欠部１１９が形成されている。したがって、挿通孔１１５に係止部１０５が挿入され、かつ切欠部１１９と支持ポスト１０２とが係合することによって、導電バー１１０ｂ，１１０ｃはバー支持部材１００に対して左右方向に位置決めされることになる。また、導電バー１１０ｂ，１１０ｃの短手方向の一端部は分離壁１０１ａに設けた引掛爪１０１ｂと載置片１０４との間で保持され、他端部は立設壁１０６に設けた引掛爪１０６ａと載置片１０４との間で保持される。したがって、導電バー１１０ｂ，１１０ｃをバー支持部材１００に装着するには、引掛爪１０６ａと載置片１０４との間に導電バー１１０ｂ，１１０ｃの一端部を挿入し、挿通孔１１５を係止部１０５に位置合わせした状態で、導電バー１１０ｂ，１１０ｃを載置片１０４に押しつければ、立設壁１０６が撓んで導電バー１１０ｂ，１１０ｃの他端部が引掛爪１０１ｂを乗り越え、引掛爪１０１ｂと載置片１０４との間で導電バー１１０ｂ，１１０ｃの他端部が保持される。そこで、引掛爪１０１ｂは後方に向かって分離壁１０１ａからの突出寸法が大きくなるように形成され、導電バー１１０ｂ，１１０ｃを取り付ける際に当接する部位は傾斜面になっている。
【００３３】
ところで、結束部材１３０の上端部後面側には絶縁性を有する弾性材料からなる矩形板状の保護カバー１４１の幅方向（短手方向）の一端部を保持する溝１３６（図８参照）が左右方向に形成されており、上述の載置片１０４に立設した立設壁１０６の先端面に形成した係止溝１０６ｂ,１０６ｂに保護カバー１４１の他端部が保持される。すなわち、保護カバー１４１は電圧極の導電バー１１０ｂを覆うように配設される。なお、保護カバー１４１の上記他端部には立設壁１０６の仕切壁１０６ｃに対応した部位に切欠部１４１ａが形成されている。
【００３４】
結束部材１３０の上端面は図８に示すように背壁１１側ほど結束部材１３０の上下方向の幅が大きくなるような傾斜面１３０ａが形成されており、上記溝１３６の内周面は上記係合脚１３５の上面に沿った誘導面１３６ａと傾斜面１３０ａに略平行な当接面１３６ｂとが当該溝１３６の底で繋がっている。
【００３５】
したがって、保護カバー１４１をバー支持部材１００に装着するには、係止溝１０６ｂに保護カバー１４１の上記他端部を差し込み、上記一端部を傾斜面１３０ａに当接させた状態で、保護カバー１４１の上記一端部側を押しつければ、保護カバー１４１が撓んで傾斜面１３０ａを乗り越え、上記一端部が溝１３６に係止されるように係合脚１３５の上面および誘導面１３６ａに沿って誘導され、最終的に上記一端部の上面が当接面１３６ｂと当接することになるので、保護カバー１４１をバー支持部材１００に比較的簡単に装着することができる。
【００３６】
また、主幹回路遮断器３１の負荷側端子片３４ａ，３４ｂ，３４ｃと各導電バー１１０ａ，１１０ｂ，１１０ｃとの重なる部分の前方には絶縁材料からなる保護カバー１４２（図５参照）が装着されている。なお、結束部材１３０の長手方向の一端部には保護カバー１４２を取着するための取付爪１２１が突設されている。
【００３７】
導電バー１１０ａ〜１１０ｃは分岐回路遮断器３２を接続するために設けられており、本実施形態では横１列に８個の分岐回路遮断器３２を配列している。分岐回路遮断器３２を取り付けるために、本実施形態では上述の分岐用取付台６０を設けている。分岐用取付台６０は図３および図８および図１０に示すように、下部の前面側に後述の鉄板７０が装着されており、鉄板７０によって分岐回路遮断器３２からの熱を放熱できるようになっている。分岐用取付板６０ａの下部の後面（背面）側には左右方向に走る２つの補強リブ６３，６３が上下方向に離間して突設されている。各補強リブ６３は上下方向における中央が両端よりも分岐用取付板６０ａの後面からの突出寸法が徐々に大きくなるように形成されており、丸みを有している。分岐用取付台６０は補強リブ６３を設けていることによって機械的な強度を高めることができる。
【００３８】
また、分岐用取付板６０ａの前面側には、各補強リブ６３に対応した部位に左右方向に走る装着溝６４がそれぞれ形成されている。さらに、上側の装着溝６４の内面には保持突起６６（図１０参照）が突設されている。保持突起６６の機能については後述する。鉄板７０は図１０に示すように後方に開放され断面コ字状に形成されており、長手方向において等ピッチで矩形状の挿通孔７２が形成されている。鉄板７０は、上述の保持突起６６が係止される係止孔７３が上側の脚片７１において上記保持突起６６に対応した部位に形成されており、分岐用取付板６０の下部の前面から突設された遮断器保持突起６５を挿通孔７２に挿通させ両脚片７１，７１を分岐用取付板６０ａの下部の前面側に形成された装着溝６４，６４に押し込むと、上述の保持突起６６が保持孔７３に挿入係止されることによって分岐用取付板６０ａの前面側に装着される。なお、鉄板７０には７つの挿通孔７２が形成されており、分岐用取付板６０ａの一番左側の遮断器保持突起６５に対応した部位には切欠部７４が形成されている。
【００３９】
分岐用取付板６０ａの一端部（下端部）前面には、前方に突設され先端部が下方に向かって延設された上述の逆Ｌ字状の遮断器保持突起６５が８個形成されている。また、分岐用取付板６０ａの他端部（上端部）前面には遮断器支持片６６が左右方向に等ピッチで形成され、分岐用取付板６０ａの中央部前面には遮断器支持片６７が左右方向に等ピッチで形成されている。ここに、各遮断器支持片６６，６７はそれぞれ９個ずつ形成されている。なお、遮断器保持突起６５の側縁は薄肉の補強片６５ａによって分岐用取付板６０ａの前面と連結されている。なお、補強片６５ａの厚みは遮断器支持片６６，６７と略同じ厚みに形成されている。
【００４０】
分岐用取付板６０ａの前面側には分岐回路遮断器３２を８個まで取着することができる。分岐回路遮断器３２は、電源側にスリット状の３つの端子部３７ａ〜３７ｃが設けられる。端子部３７ａ〜３７ｃのうち端子部３７ａには中性極の導電バー１１０ａが挿入され、端子部３７ｂ，３７ｃには電圧極の導電バー１１０ｂ，１１０ｃの挿入端子片１１８ｂ，１１８ａが挿入される。ただし、各分岐回路遮断器３２はそれぞれ各導電バー１１０ａ，１１０ｂ，１１０ｃのうちの２本にのみ電気的に接続され、他の１本はダミーとして扱われる。例えば、端子部３７ａに導電バー１１０ａが電気的に接続され、端子部３７ｃに挿入端子片１１８ａが電気的に接続されるが、挿入端子片１１８ｂは端子部３７ｂに挿入されるだけで電気的な接続は行われない。ここに、本実施形態では、端子部３７ａ〜３７ｃのうちの２つに導電バー１１０ａ〜１１０ｃに差込接続される導電性材料からなる受刃（図示せず）が設けられている。なお、分岐回路遮断器３２は、負荷側に電線挿入口（図示せず）が設けられており、電線挿入口を通して器体に電線を挿入するだけで器体内に収納された端子板（図示せず）と鎖錠ばね（図示せず）とからなる周知の速結端子からなる負荷端子に電線が接続される。
【００４１】
分岐回路遮断器３２の器体の一方の側面（左側面）には分岐用取付板６０に設けた遮断器保持突起６５に係合する保持溝３８が開口されている。さらに、分岐回路遮断器３２の前面であって隔壁１０１寄りの端部には２個の結束用突部３９が突設されている。
【００４２】
しかして、分岐回路遮断器３２を分岐用取付板６０に取り付けるに際しては、端子部３７ａに導電バー１１０ａを挿入し、端子部３７ｂ，３７ｃには挿入端子片１１８ａ，１１８ｂを挿入せずに分岐回路遮断器３２を挿入端子片１１８ｂ，１１８ａの幅方向にずらしている状態から、分岐回路遮断器３２の保持溝３８に遮断器保持突起６５が挿入されるとともに挿入端子片１１８ｂ，１１８ａが端子部３７ｂ，３７ｃに挿入されるように分岐回路遮断器３２をスライドさせると、分岐用取付板６０の前面と遮断器保持突起６５との間で保持溝３８の周部が挟持されるようになる。このとき、遮断器支持片６６，６７および補強片６５ａが分岐回路遮断器３２の側面に当接して分岐回路遮断器３２の左右方向への位置ずれが防止される。なお、支持部材用取付板５０ａには２つの開口窓５４が開口されており、導電バー１１０ａ，１１０ｂ，１１０ｃからの熱を放熱できるようになっている。
【００４３】
ところで、上述の結束部材１３０には各分岐回路遮断器３２の前面に重なる部位まで延長された結束片１３３が形成され、結束片１３３の先端部に設けた切欠溝１３４が分岐回路遮断器３２の前面に突設された結束用突部３９に係合することによって、分岐回路遮断器３２が結束片１３３に連結されるようにしてある。この結束部材１３０を設けていることにより、各分岐回路遮断器３２が結束部材１３０を介して連結されることになる。要旨ではないから詳述しないが、結束部材１３０の結束片１３３は各分岐回路遮断器３２ごとに切欠溝１３４と結束用突部３９との係合状態を解除できるように構成されている。
【００４４】
ところで、上述のバー支持部材１００の右端部後面には、図１に示すように、載置片１０４の後面から突出する部分と、その部分の先端から外向きに突出する部分とを有するＬ字状の係止突起１０７が上下に形成されている。一方、支持部材用取付台５０の右端部には係止突起１０７が引っ掛けられる保持孔５２が上下に形成されている。また、バー支持部材１００の左端部の上下面にはそれぞれ被引掛片１０８，１０８が突設されており、各被引掛片１０８，１０８は支持部材用取付台５０の左端部の近傍で背壁１１から連続一体に突設された保持突起１６に引掛係止される。保持突起１６は、断面Ｌ字状に形成されたガイド壁１６ａと、ガイド壁１６ａの前端面に連続一体に形成された受け片１６ｂとで構成されている。
【００４５】
したがって、バー支持部材１００を支持部材用取付台５０に取り付けるに際しては、支持部材用取付台５０の保持孔５２に上記係止突起１０７を前方から挿入した図１１および図１２および図１５（ａ）に示す状態から、バー支持部材１００を支持部材取付板５０ａの前面に沿って（つまり、背壁１１の前面に沿って）図１１における右方向にスライドさせることで図１３および図１４および図１５（ｂ）に示す状態のように上記係止突起１０７を保持孔５２の周部に重複させて引掛けるとともに、上記被引掛片１０８を保持突起１６の受け片１６ｂに重複させて引掛けることによりバー支持部材１００が支持部材用取付台５０に保持される。要するに、バー支持部材１００は、箱体１０の背壁１１に平行な面内で上記右方向へスライドさせることによって箱体１０に取着されることになる。また、係止突起１０７が保持孔５２の周部に重複せず、被引掛片１０８が受け片１６ｂに重複しない位置までバー支持部材１００をスライドさせれば、バー支持部材１００を支持部材用取付台５０から取り外すことが可能になる。
【００４６】
本実施形態では、保持孔５２と係止突起１０７との一方（例えば保持孔５２）が引掛部として機能し他方（例えば係止突起１０７）が被引掛部として機能し、さらに、保持突起１６と被引掛片１０８との一方（保持突起１６）が引掛部として機能し他方（被引掛片１０８）が被引掛部として機能する。
【００４７】
上述のバー支持部材１００に設けた被引掛片１０８の前面にはバー支持部材１００のスライド方向に直交する方向に沿って抜止溝１０８ａが形成されており、箱体１０の背壁１１から突設された保持突起１６の受け片１６ｂの後面にはバー支持部材１００が取付時の定位置までスライドされたときに抜止溝１０８ａに係合して被引掛片１０８が保持突起１６から抜けるのを防止する抜止突起１７が突設されている。したがって、バー支持部材１００を定位置までスライドさせることにより、被引掛片１０８に形成された抜止溝１０８ａと保持突起１６に形成された抜止突起１７とが係合して保持突起１６から被引掛片１０８が抜けるのを防止されるから、バー支持部材１００が箱体１０から外れる可能性が少なくなる。また、バー支持部材１００は導電バー１１０ａ，１１０ｂ，１１０ｃを全長にわたって支持し、上述の被引掛部をバー支持部材１００のスライド方向の両端部に設けてあるので、バー支持部材１００の長手方向の両端部、つまり、スライド方向の両端部が箱体１０の背壁１１から浮き上がる（傾く）のを防止することができる。なお、本実施形態では、抜止溝１０８ａおよび抜止突起１７がそれぞれ係合部を構成している。
【００４８】
しかして、本実施形態では、箱体１０の背壁１１に引掛部を設けるとともに引掛部に引掛けられる被引掛部をバー支持部材１００に設け、バー支持部材１００は、箱体１０の背壁１１の前面に沿ってスライドさせることにより引掛部と被引掛部とが引っ掛かる位置と引っ掛からない位置との間で移動可能としてあるから、バー支持部材１００を所定方向（右方向）へスライドさせることによって箱体１０にバー支持部材１００を取り付けることができ、上記従来構成のようにバー支持部材１００’の弾性を利用してバー支持部材１００’を箱体に取り付けるものに比較すると、バー支持部材１００が破損する可能性が少なくなり、バー支持部材１００のスライド方向における引掛部と被引掛部との引掛量を大きくできるので、箱体１０に対するバー支持部材１００の取付強度を大きくできるとともにバー支持部材１００を箱体１０に確実に取り付けることができる。また、被引掛部としての係止突起１０７および被引掛片１０８は、引掛部としての保持孔５２および保持突起１６にそれぞれ引っ掛からない状態において背壁１１の前方からバー支持部材１００を正面視したときに視認可能となるように突設されているので、被引掛部を引掛部に引掛けるときに被引掛部を視認でき、被引掛部を引掛部に引掛ける作業が容易になるから、箱体１０へのバー支持部材１００の取付作業が容易になる。
【００４９】
なお、被引掛部と引掛部との形状はバー支持部材１００を箱体１０の背壁１１の前面に沿ってスライド自在に取り付けるできる形状であれば特に限定するものではない。
【００５０】
また、バー支持部材１００の長手方向の両端部後面には図１に示すように後方へ突出するガイド突起１０９を設けてあり、支持部材用取付板５０ａにはガイド突起１０９をバー支持部材１００のスライド方向に沿って案内する長孔５３を設けているので、被引掛部と引掛部との位置合わせが容易に行え、バー支持部材１００を箱体１０に取着する作業が容易になる。なお、本実施形態では、支持部材用取付台５０が載置部を構成している。
【００５１】
ここにおいて、長孔５３は、被引掛部が引掛部に引っ掛からない状態においてガイド突起１０９が遊挿される丸孔状の大径部５３ａの一部にガイド突起１０９をスライド方向に沿って案内する溝部５３ｂが連続した鍵穴状に形成されている。したがって、バー支持部材１００を箱体１０に取着する際には、ガイド突起１０９が長孔５３の大径部５３ａに遊挿されるようにバー支持部材１００を支持部材用取付台５０の前面側に載置し、ガイド突起１０９が溝部５３ｂに対応する部位に入るようにバー支持部材１００を取付時のスライド方向へスライドさせることによってバー支持部材１００を箱体１０に取着することができるから、バー支持部材１００をスライドさせる前に支持部材用取付台５０に載置するときのバー支持部材１００の位置合わせが容易になり、箱体１０へのバー支持部材１００の取着作業が容易になる。なお、ガイド突起１０９は円柱状の形状であって、長孔５３の溝部５３ｂの上下方向における幅はガイド突起１０９の直径と略等しく設定してあるので、溝部５３ｂでは溝部５３ｂの内周面とガイド突起１０９の外周面とが当接する（図１４参照）。
【００５２】
【発明の効果】
請求項１の発明は、主幹開閉器が取り付けられる主幹用取付台が箱体の背壁の前面左側に形成されるとともに分岐開閉器が取り付けられる分岐用取付台が箱体の背壁の前面右側に形成され、前記分岐用取付台の上方に前記分岐開閉器が電気的に接続される複数の導電バーを全長にわたって支持するバー支持部材が取り付けられる支持部材用取付台を形成した住宅用分電盤であって、前記支持部材用取付台の右端部に形成された保持孔と前記支持部材用取付台の左端部の近傍で背壁から突設された保持突起とで引掛部を形成し、該引掛部に引掛けられる被引掛部をバー支持部材に設け、バー支持部材は、箱体の背壁の前面に沿って左右方向にスライドさせることにより引掛部と被引掛部とが引っ掛かる位置と引っ掛からない位置との間で移動可能としたものであり、バー支持部材をスライドさせることによって箱体にバー支持部材を取り付けることができるから、バー支持部材の弾性を利用してバー支持部材を箱体に取り付ける従来構成に比較すると、バー支持部材が破損する可能性が少なくなり、バー支持部材のスライド方向における引掛部と被引掛部との引掛量を大きくできるので、箱体に対するバー支持部材の取付強度を大きくできるとともにバー支持部材を箱体に確実に取り付けることができるという効果がある。
また、請求項１の発明では、前記被引掛部は、該被引掛部が前記引掛部に引っ掛からない状態において前記背壁の前方から前記バー支持部材を正面視したときに視認可能となるよう前記バー支持部材のスライド方向の両端部であって、前記バー支持部材の右端部から外向きに突出する係止突起と前記バー支持部材の左端部の上下面から突出した被引掛片とからなるので、前記被引掛部を前記引掛部に引掛けるときに前記被引掛部を視認でき、前記被引掛部を前記引掛部に引掛ける作業が容易になるから、前記箱体への前記バー支持部材の取付作業が容易になり、また、前記バー支持部材のスライド方向の両端部が前記箱体の背壁から浮きあがるのを防止することができるという効果がある。特に、スライドさせて引掛ける方向で後側である左端側の被引掛部（被引掛片）を上下方向に形成しているので、それに対応する引掛部（保持突起）も前記バー支持部材で隠れることなく視認できることとなり、前記箱体への前記バー支持部材の取付作業が更に容易になる。
【００５３】
請求項２の発明は、請求項１の発明において、前記被引掛部および前記引掛部には、前記被引掛部を前記引掛部に引っ掛けた定位置で前記引掛部から前記被引掛部が抜けるのを防止するように互いに係合する係合部がそれぞれ形成されているので、前記バー支持部材を定位置までスライドさせることにより、前記被引掛部に形成された係合部と前記引掛部に形成された係合部とが係合して前記引掛部から前記被引掛部が抜けるのを防止されるから、前記バー支持部材が前記箱体から外れる可能性が少なくなるという効果がある。
【００５６】
請求項３の発明は、請求項１または請求項２の発明において、前記支持部材用取付台が前記背壁から突設され、前記支持部材用取付台の前面よりも前記背壁側に前記引掛部を設けているので、前記支持部材用取付台をバー支持部材の背面と前記被引掛部とで挟むことが可能となり、前記バー支持部材を箱体に強固に取り付けることができるという効果がある。
【００５７】
請求項４の発明は、請求項３の発明において、前記バー支持部材に後方へ突出するガイド突起を設けるとともに、前記支持部材用取付台に前記ガイド突起を前記バー支持部材のスライド方向に沿って案内する長孔を設けているので、被引掛部と引掛部との位置合わせが容易に行え、前記バー支持部材を箱体に取着する作業が容易になるという効果がある。
【００５８】
請求項５の発明は、請求項４の発明において、前記長孔は、前記被引掛部が前記引掛部に引っ掛からない状態において前記ガイド突起が遊挿される丸孔状の大径部の一部に前記ガイド突起を前記スライド方向に沿って案内する溝部が連続した鍵穴状に形成されているので、前記バー支持部材を箱体に取着する際には、前記ガイド突起が前記長孔の大径部に遊挿されるように前記バー支持部材を前記支持部材用取付台に載置し、前記ガイド突起が溝部に対応する部位に入るように前記バー支持部材を前記スライド方向へスライドさせることによって前記バー支持部材を箱体に取着することができるから、前記バー支持部材をスライドさせる前に前記支持部材用取付台に載置するときのバー支持部材の位置合わせが容易になり、前記箱体へのバー支持部材の取着作業が容易になるという効果がある。
【００５９】
請求項６の発明は、請求項１ないし請求項５の発明において、前記分岐開閉器が前記導電バーの短手方向から接続され、前記バー支持部材のスライド方向を前記導電バーの長手方向に一致させているので、前記バー支持部材をスライドさせる方向と前記分岐開閉器を導電バーに差込接続する方向とが直交するから、前記導電バーに前記分岐開閉器を差込接続するときの力によって前記バー支持部材が移動する可能性が少なく、前記バー支持部材を前記箱体に対して所定位置に正確に位置決めすることができるという効果がある。
【図面の簡単な説明】
【図１】本発明の実施形態における要部分解斜視図である。
【図２】同上の外観斜視図である。
【図３】同上の要部分解斜視図である。
【図４】同上においてカバーなどを取り外した状態の正面図である。
【図５】同上においてカバーを取り外した状態の正面図である。
【図６】同上の断面図である。
【図７】同上の断面図である。
【図８】同上の要部断面図である。
【図９】同上の要部分解斜視図である。
【図１０】同上の要部分解斜視図である。
【図１１】同上におけるバー支持部材の取付前の要部正面図である。
【図１２】同上におけるバー支持部材の取付前の要部背面図である。
【図１３】同上におけるバー支持部材の取付後の要部正面図である。
【図１４】同上におけるバー支持部材の取付後の要部背面図である。
【図１５】同上におけるバー支持部材の取り付け方の説明図である。
【図１６】従来例を示す要部分解斜視図である。
【図１７】同上の要部斜視図である。
【図１８】同上の要部分解斜視図である。
【符号の説明】
１０  箱体
１１  背壁
１６  保持突起
１７  抜止突起
３１  主幹回路遮断器
３１ａ  ハンドル
３２  分岐回路遮断器
３２ａ  ハンドル
５０  支持部材用取付台
５２  保持孔
５３  長孔
５３ａ  大径部
５３ｂ  溝部
１００  バー支持部材
１０７  係止突起
１０８  被引掛片
１０８ａ  抜止溝
１０９  ガイド突起
１１０ａ  導電バー
１１０ｂ  導電バー
１１０ｃ  導電バー
【図１】
0003815242.tif 000002
【図２】
0003815242.tif 000003
【図３】
0003815242.tif 000004
【図４】
0003815242.tif 000005
【図５】
0003815242.tif 000006
【図６】
0003815242.tif 000007
【図７】
0003815242.tif 000008
【図８】
0003815242.tif 000009
【図９】
0003815242.tif 000010
【図１０】
0003815242.tif 000011
【図１１】
0003815242.tif 000012
【図１２】
0003815242.tif 000013
【図１３】
0003815242.tif 000014
【図１４】
0003815242.tif 000015
【図１５】
0003815242.tif 000016
【図１６】
0003815242.tif 000017
【図１７】
0003815242.tif 000018
【図１８】
0003815242.tif 000019